(57)【要約】  挿抜可能なモジュール（１００）は、第１の側面（１１０）を有し、該第１の側面の同じ端部に長尺状の第１のバネ片（１０）、及び第１のプルグリップ（２０）が設置され、第１のバネ片の該第１の側面に背向する第１の表面に少なくとも１つの第１の位置規制片（１１）が設置され、第１のバネ片の第１のプルグリップと互いに近接する一端が相対端であり、他端が遠位端であり、当該遠位端と当該第１の側面とが互いに固定され、当該相対端に第１のプルグリップに対応して設置されるバネ片プルヘッド（１２）が設置される。また、スマートタブレットを提供する。該挿抜可能なモジュールは、挿抜可能なモジュールを挿入し、引き抜きやすいことを実現し、ユーザの操作を簡略化し、ユーザの使用感を向上させる。
2019527405.tif 000002
【特許請求の範囲】
【請求項１】
第１の側面を有する挿抜可能なモジュールであって、
第１の側面の同じ端部に設置された長尺状の第１のバネ片、及び第１のプルグリップを含み、
第１のバネ片の第１の側面に背向する第１の表面に少なくとも１つの第１の位置規制片が設置され、
第１のバネ片の第１のプルグリップと互いに近接する一端が相対端であり、他端が遠位端であり、遠位端と第１の側面とが互いに固定され、
相対端に第１のプルグリップに対応して設置されるバネ片プルヘッドが設置されることを特徴とする挿抜可能なモジュール。
【請求項２】
第１の位置規制片は、一体成形された第１の位置規制部及び第２の位置規制部を含み、第１の位置規制部が直方体状で、第１の表面に固定され、
第２の位置規制部が第１の位置規制部に接続され、第２の位置規制部の縁部が円弧状であることを特徴とする請求項１に記載の挿抜可能なモジュール。
【請求項３】
挿抜可能なモジュールは、さらに、第１の側面の端部に接続された第２の側面を有し、第１のプルグリップは、第１の持ち手及び２つの第１の接続アームを含み、２つの第１の接続アームの一端が第２の側面に設置され、第１の持ち手が２つの第１の接続アームの他端に接続され、バネ片プルヘッドが２つの第１の接続アームの間に設置されることを特徴とする請求項１に記載の挿抜可能なモジュール。
【請求項４】
第２の側面は、台形であり、挿抜可能なモジュールは、台形台構造であることを特徴とする請求項３に記載の挿抜可能なモジュール。
【請求項５】
第１の持ち手は、バネ片プルヘッドに向かう内側壁を有し、内側壁に滑り止めリブが設置されることを特徴とする請求項３に記載の挿抜可能なモジュール。
【請求項６】
バネ片プルヘッドは、第１のプルグリップに向く上面を有し、上面が円弧面であり、上面にシリカゲル材料が包まれることを特徴とする請求項３に記載の挿抜可能なモジュール。
【請求項７】
バネ片プルヘッドの上面と対向する底面に凹部が設置されることを特徴とする請求項６に記載の挿抜可能なモジュール。
【請求項８】
第１のバネ片は、さらに、第１の表面と対向する第２の表面を有し、第２の表面に係止部材が設置され、第１の側面に１つの係止孔が開設され、係止部材の自由端は、係止孔を貫通して、挿抜可能なモジュールの内部に入り、第２の側面に係止部材の自由端に対応するロック孔が開設されることを特徴とする請求項３に記載の挿抜可能なモジュール。
【請求項９】
挿抜可能なモジュールは、さらに、第１の側面と対向する第３の側面を有し、第３の側面の同じ端部にさらに第２のバネ片及び第２のプルグリップが設置され、第２のバネ片が長尺状で、第３の側面に固定され、第２のプルグリップが第２の側面に取り付けられ、第２のバネ片の第２のプルグリップと互いに近接する一端に、縁部が円弧状である少なくとも１つの第２の位置規制片が設置されることを特徴とする請求項３に記載の挿抜可能なモジュール。
【請求項１０】
挿抜可能なモジュールは、さらに、接地装置を含み、挿抜可能なモジュールは、さらに、第４の側面を有し、接地装置が少なくとも２つの接地バネ片と、接地バネ片に接続された接地板とを含み、各接地バネ片に１つの接地孔が開設され、第４の側面に接地孔に対応する取付孔が開設され、接地孔が取付孔内に埋め込まれることを特徴とする請求項１に記載の挿抜可能なモジュール。
【請求項１１】
接地孔は半球形であることを特徴とする請求項１０に記載の挿抜可能なモジュール。
【請求項１２】
内部に少なくとも１つの第１の位置規制孔が開設されたスロットが開設される本体部を含むスマートタブレットであって、さらに、スロット内に挿入することにより、第１の位置規制片が第１の位置規制孔内に接続する請求項１〜１１のいずれか一項に記載の挿抜可能なモジュールを含むことを特徴とするスマートタブレット。
【発明の詳細な説明】
【技術分野】
【０００１】
本発明は、スマートタブレットの分野に関し、特に挿抜可能なモジュール及びスマートタブレットに関する。
【背景技術】
【０００２】
スマート教育、スマートオフィス等の発展に伴い、スマートタブレットは、操作しやすく、表示効果が高いなどの利点により異なる分野及びシーンに適用されることが多い。現在、スマートタブレットは、挿抜可能な構造を用いることが多く、即ち、タブレットは、ディスプレイを有する本体部と、挿抜可能なモジュール（ホストマシン）とを含み、挿抜可能なモジュールは、本体部に挿入することにより、本体部との電気的接続を実現して、ビデオ信号又は他の制御信号を本体部に送信する。
【０００３】
挿抜可能なモジュールの挿入を実現する場合には、一般的に挿抜可能なモジュールを本体部のスロット内に固定するが、引き抜く場合には、挿抜可能なモジュールに固定された２つのバネ片を同時に押すことにより、バネ片がプルグリップを引っ掛けて、挿抜可能なモジュールをスロット内から引き抜くか又は取り出すことを実現する。
【０００４】
しかしながら、このような構造設計の方法は、引き抜く場合にバネ片を同時に押し、プルグリップを引っ掛けて実現する必要があるため、一方で、プルグリップがサイズにより制限され、バネ片の距離がハードウェアレイアウトにより制限され、他方で、操作が複雑であり、ユーザの使用感が良くないという問題もある。
【発明の開示】
【発明が解決しようとする課題】
【０００５】
上記問題に対して、本発明は、便利な挿入及び引き抜きを実現し、ユーザの操作を簡略化できる挿抜可能なモジュール及びスマートタブレットを提供することを目的とする。
【課題を解決するための手段】
【０００６】
本発明は、第１の側面を有し、第１の側面の同じ端部に長尺状の第１のバネ片、及び第１のプルグリップが設置され、第１のバネ片の第１の側面に背向する第１の表面に少なくとも１つの第１の位置規制片が設置され、第１のバネ片の第１のプルグリップと互いに近接する一端が相対端であり、他端が遠位端であり、遠位端と第１の側面とが互いに固定され、相対端に第１のプルグリップに対応して設置されるバネ片プルヘッドが設置される挿抜可能なモジュールを提供する。
【０００７】
好ましくは、第１の位置規制片は、一体成形された第１の位置規制部及び第２の位置規制部を含み、第１の位置規制部が直方体状で第１の表面に固定され、第２の位置規制部が第１の位置規制部に接続され、第２の位置規制部の縁部が円弧状である。
【０００８】
好ましくは、挿抜可能なモジュールは、さらに、第１の側面の端部に接続された第２の側面を有し、第１のプルグリップは、第１の持ち手及び２つの第１の接続アームを含み、２つの第１の接続アームの一端が第２の側面に設置され、第１の持ち手が２つの第１の接続アームの他端に接続され、バネ片プルヘッドが２つの第１の接続アームの間に設置される。
【０００９】
好ましくは、第２の側面は、台形であり、挿抜可能なモジュールは、台形台構造である。
【００１０】
好ましくは、第１の持ち手は、バネ片プルヘッドに向かう内側壁を有し、内側壁に滑り止めリブが設置される。
【００１１】
好ましくは、バネ片プルヘッドは、第１のプルグリップに向く上面を有し、上面が円弧面であり、シリカゲル材料によって包まれる。
【００１２】
好ましくは、バネ片プルヘッドの上面と対向する底面に凹部が設置される。
【００１３】
好ましくは、第１のバネ片は、さらに、第１の表面と対向する第２の表面を有し、第２の表面に係止部材が設置され、第１の側面に１つの係止孔が開設され、係止部材の自由端は、係止孔を貫通して、挿抜可能なモジュールの内部に入り、第２の側面に係止部材の自由端に対応するロック孔が開設される。
【００１４】
好ましくは、挿抜可能なモジュールは、さらに、第１の側面と対向する第３の側面を有し、第３の側面の同じ端部にさらに第２のバネ片及び第２のプルグリップが設置され、第２のバネ片が長尺状で、第３の側面に固定され、第２のプルグリップが第２の側面に取り付けられ、第２のバネ片の第２のプルグリップと互いに近接する一端に、縁部が円弧状である少なくとも１つの第２の位置規制片が設置される。
【００１５】
好ましくは、挿抜可能なモジュールは、さらに、接地装置を含み、挿抜可能なモジュールは、さらに、第４の側面を有し、接地装置が少なくとも２つの接地バネ片と、接地バネ片に接続された接地板とを含み、各接地バネ片に１つの接地孔が開設され、第４の側面に接地孔に対応する取付孔が開設され、接地孔が取付孔内に埋め込まれる。
【００１６】
好ましくは、接地孔は半球形である。
【００１７】
本発明は、内部に少なくとも１つの第１の位置規制孔が開設されたスロットが開設される本体部と、スロット内に挿入することにより、第１の位置規制片が第１の位置規制孔内に接続する挿抜可能なモジュールとを含むスマートタブレットをさらに提供する。
【００１８】
本発明の実施例に係る挿抜可能なモジュール及びスマートタブレットは、第１のバネ片が長尺状であり、その遠位端が第１の側面に固定されるため、バネ片の役割を果たすことができる。また、第１のバネ片と第１のプルグリップが相対的に近接して配置されるため、挿抜可能なモジュールを引き出す場合、第１の持ち手を把持すると同時に第１のバネ片のバネ片プルヘッドを操作できることにより、挿抜可能なモジュールを片手で引き出すことができ、操作のフローを簡略化し、ユーザの使用感を向上させる。
【００１９】
本発明の技術的形態をより明確に説明するために、以下、実施形態に必要な図面を簡単に説明する。以下に記載の図面は、本発明のいくつかの実施形態に過ぎないことは明らかであり、当業者であれば、創造的な労働をしない前提で、これらの図面に基づいて他の図面を得ることができる。
【図面の簡単な説明】
【００２０】
【図１】本発明の実施例に係る挿抜可能なモジュールと第１のガイドレールの分解概略図である。
【図２】本発明の実施例に係る挿抜可能なモジュールを第１のガイドレールに組み合わせる概略図である。
【図３】本発明の実施例に係る第１のバネ片の底面と第１のプルグリップの内側壁の概略構成図である。
【図４】本発明の実施例に係る第１のバネ片の概略構成図である。
【図５】ロック孔及びネジにより第１のバネ片をロックする概略図である。
【図６】本発明の実施例に係る挿抜可能なモジュールと第１のガイドレール及び第２のガイドレールの分解概略図である。
【図７】本発明の実施例に係る挿抜可能なモジュールを第２のガイドレールに固定する概略図である。
【図８】本発明の実施例に係る挿抜可能なモジュールの操作概略図である。
【図９】本発明の実施例に係る挿抜可能なモジュールの操作概略図である。
【発明を実施するための形態】
【００２１】
以下、本発明の実施例における図面を合わせて、本発明の実施例における技術的形態を明確かつ完全に説明する。説明された実施例は、本発明の全ての実施例ではなく、一部の実施例だけであることは明らかである。本発明の実施例に基づいて、当業者が創造的な労働をしない前提で取得した全ての他の実施例は、いずれも本発明の保護範囲に属する。
【００２２】
図１に示すように、本発明の実施例は、スマートタブレットの本体部のスロット内に挿入され得るか又はスマートタブレットの本体部のスロット内から引き抜かれ得る挿抜可能なモジュール１００を提供する。本体部は、ディスプレイ、タッチスクリーンなどを含んでもよく、挿抜可能なモジュールがスロット内に挿入されると、本体部は、挿抜可能なモジュール１００に電気的に接続し、挿抜可能なモジュール１００から伝送されたビデオ信号を表示し、ユーザの操作を識別し、ユーザの操作に基づいて対応するコマンドを発生することができる。
【００２３】
図１に示すように、本発明の実施例において、挿抜可能なモジュール１００は、第１の側面１１０を有し、第１の側面１１０の同じ端部に第１のバネ片１０及び第１のプルグリップ２０が設置される。第１のバネ片１０は、長尺状であり、第１のバネ片１０の第１の側面１１０に背向する第１の表面に少なくとも１つの第１の位置規制片１１が設置される。第１のバネ片１０の第１のプルグリップ２０と互いに近接する一端が相対端であり、他端が遠位端であり、遠位端が第１の側面１１０と互いに固定され、相対端に第１のプルグリップ２０に対応して設置されるバネ片プルヘッド１２が設置される。
【００２４】
本発明の実施例において、第１のバネ片１０は、一定の弾性を有する材料（例えば、薄い金属）で製造された帯状シートであってもよく、その遠位端が第１の側面１１０に固定され、遠位端以外、第１のバネ片１０の他の部分が第１の側面１１０に貼り合わされないため（即ち第１の側面１１０と隙間が形成される）、バネ片プルヘッド１２が外力により引き上げられると、第１のバネ片１０が弾性的に曲げ変形され得る。
【００２５】
本発明の実施例において、本体部のスロット内に第１のガイドレール２００が設置されてもよく、第１のガイドレール２００に第１の位置規制片１１に対応する第１の位置規制孔２１０が開設される。挿抜可能なモジュール１００がスロット内に挿入されると、第１の側面１１０は、第１のガイドレール２００に密着することにより、第１の位置規制片１１が第１の位置規制孔２１０に挿入され、第１の位置規制孔２１０により係止されて、挿抜可能なモジュール１００と第１のガイドレール２００との係合接続を実現する。好ましくは、第１の位置規制片１１の数は、２つであり、第１の表面の両側に対称に分布している。
【００２６】
本発明の実施例において、挿抜可能なモジュール１００は、さらに第１の側面１１０の端部に接続された第２の側面１２０を有し、第１のプルグリップ２０は、第１の持ち手２２及び２つの第１の接続アーム２１を含み、第１の接続アーム２１の一端が第２の側面１２０に設置され、第１の持ち手２２が２つの第１の接続アーム２１の他端に接続され、バネ片プルヘッド１２が第１のプルグリップ２０の下方に位置する。より具体的には、バネ片プルヘッド１２は、２つの第１の接続アーム２１が形成した隙間に位置し、第１の持ち手２２の下方に延伸し、このように、バネ片プルヘッド１２が上に引き上げられると、２つの第１の接続アーム２１の間の隙間を貫通して、第１の持ち手２２に引っ掛けることができる。
【００２７】
本発明の実施例において、バネ片プルヘッド１２を第１の持ち手２２に引っ掛けるために、バネ片プルヘッド１２の末端と第２の側面１２０との距離は、第１の持ち手２２と第２の側面１２０との距離より僅かに大きくしておくことを要し、バネ片プルヘッド１２の第１のプルグリップ２０に向く上面が円弧面に設置されてもよいため、バネ片プルヘッド１２が上向きに移動する場合、その上面は、第１の持ち手２２と滑らかに接触する。また、バネ片プルヘッド１２と第１の持ち手２２を保護するために、バネ片プルヘッド１２の上面にシリカゲル材料が包まれており、両者が大きな摩擦を発生させて表面にひっかき傷が発生することを回避する。
【００２８】
本発明の実施例において、本体部のスロット内から挿抜可能なモジュール１００を引き抜く必要があるときは、第１の側面１１０から離れる方向に沿ってバネ片プルヘッド１２を持ち上げることにより、バネ片プルヘッド１２が第１の持ち手２２に引っ掛かり、第１のバネ片１０が弾性的に曲げ変形し、第１の位置規制片１１が持ち上げ方向に沿って移動して、第１の位置規制孔２１０により係止された状態を解除する。このように第１の持ち手２２を引き動かすことにより挿抜可能なモジュール１１０の第１のガイドレール２００でのスライドを実現して、挿抜可能なモジュール１００をスロット内から引き抜くことができる。挿抜可能なモジュール１００をスロット内に挿入する必要があるときは、挿抜可能なモジュール１００をスロット内に直接挿入することができ、第１のバネ片１０自体が弾性を有するため、第１の位置規制片１１を第１のガイドレール２００における第１の位置規制孔２１０内に自動的に嵌め込むことができる。
【００２９】
のように、本発明の実施例に係る挿抜可能なモジュール１００は、第１のバネ片が長尺状であり、その遠位端が第１の側面１１０に固定されるため、バネ片の役割を果たすことができる。また、第１のバネ片１０と第１のプルグリップ２０が相対的に近接して配置されるため、挿抜可能なモジュール１００を引き出す場合、第１の持ち手２２を把持すると同時に第１のバネ片１０のバネ片プルヘッド１２を操作できることにより、挿抜可能なモジュール１００を片手で引き出すことができ、操作のフローを簡略化し、ユーザの使用感を向上させる。
【００３０】
本発明を理解しやすくするために、以下、本発明のいくつかの好ましい実施例をさらに説明する。
【００３１】
第１の好ましい実施例：
好ましくは、図２及び図３に示すように、バネ片プルヘッド１２の上面と対向する底面に凹部１２２が設置され、ユーザの指は、凹部１２２によりバネ片プルヘッド１２を上向きに容易に持ち上げることができ、一方で、持ち上げ位置を位置決めし、他方で、持ち上げる場合に手の滑りの現象も避けることができる。
【００３２】
第２の好ましい実施例：
好ましくは、図３に示すように、第１の持ち手２２は、バネ片プルヘッドに向かう内側壁を有し、内側壁に滑り止めリブ２２１が設置され、滑り止めリブ２２１が第１の持ち手２２を引き動かす場合の摩擦力を増加させ、引き動かす場合に滑りの現象が発生することを防止することができる。
【００３３】
第３の好ましい実施例：
好ましくは、図４に示すように、第１の位置規制片１１は、第１の位置規制部１１１及び第２の位置規制部１１２を含み、第１の位置規制部１１１が略直方体状であり、その長さと厚さがいずれも第１の位置規制孔２１０の長さと厚さより小さく、このように、第１の位置規制片１１が第１の位置規制孔２１０に挿入されると、第１の位置規制部１１１が第１の位置規制孔２１０に係合されるため、この場合に、挿抜可能なモジュール１００が第１のガイドレール２００に固定され、第１のガイドレール２００に対してスライドすることができない。
【００３４】
本好ましい実施例において、第２の位置規制部１１２の縁部が円弧状である。第２の位置規制部１１２の縁部が円弧状であるため、第１の位置規制部１１１が第１の位置規制孔２１０から離脱すれば、挿抜可能なモジュール１００が第１のガイドレール２００上をスライドすることを実現することができる。具体的には、第２の位置規制部１１２が第１の位置規制孔２１０と接触する場合、水平方向の力を受けると、この力は水平方向に沿った力と垂直方向に沿った力とに分解することができ、この垂直方向に沿った力により第１のバネ片１０が弾性的に曲げ変形し、さらに第２の位置規制部１１２が第１の位置規制孔２１０内から自動的に離脱することができる。
【００３５】
本好ましい実施例において、第１の位置規制部１１１を第１の位置規制孔２１０から離脱させるだけで挿抜可能なモジュール１００の引き動かすことを実現できるため、バネ片プルヘッド１２を上向きに動かすのに必要な力を節約し、ユーザによる使用及び操作を容易にする。
【００３６】
第４の好ましい実施例：
好ましくは、図５に示すように、本発明の実施例において、第１のバネ片１０は、さらに第１の表面と対向する第２の表面を有し、第２の表面に係止部材１４が設置され、第１の側面１１０に１つの係止孔（図示せず）が開設される。係止部材１４の自由端は、係止孔を貫通して、挿抜可能なモジュール１００の内部に入る。第２の側面１２０に係止部材の自由端に対応するロック孔１２１が開設される。具体的には、ロック孔１２１と第１の側面１１０との距離は、係止部材１４の自由端と第１の側面１１０との距離より僅かに大きい。
【００３７】
その作用として、ロック孔１２１にネジ１２２を接続することができ、ネジ１２２を接続すると、ちょうど係止部材１４の自由端に当接し、この際、第１のバネ片１０が固定され、上向きに移動することができないが、ネジ１２２が緩められた後に第１のバネ片１０を操作することができる。このようにして、挿抜可能なモジュール１００が自由に挿抜されるか又は移動することを防止する。
【００３８】
なお、本発明の実施例において、係止部材１４が略Γ字形であるので、ネジ１２２を係止部材１４の自由端に当接させることに役立つ。
【００３９】
第５の好ましい実施例：
挿抜可能なモジュール１００の体積が大きい場合、１つのプルグリップだけで引き動かすことが難しく、また、ホストマシンのバランスを保持しにくい。また、いくつかの特定の場面では、安定性を確保するように、挿抜可能なモジュール１００の両側をいずれも固定する必要がある。
【００４０】
具体的には、図６〜図９に示すように、本好ましい実施例において、挿抜可能なモジュール１００は、さらに第１の側面１１０と対向する第３の側面１３０を有し、第３の側面１３０の同じ端部に、また第２のバネ片３０及び第２のプルグリップ４０が設置されている。第２のバネ片３０は長尺状であり、第３の側面１３０に固定され、第２のプルグリップ４０は第２の側面１２０に取り付けられ、第２のバネ片３０の第２のプルグリップ４０と互いに近接する一端に、縁部が円弧状である少なくとも１つの第２の位置規制片３２が設置される。
【００４１】
スロットは、さらに第１のガイドレール２００に対応する第２のガイドレール３００を含み、挿抜可能なモジュール１００の第３の側面１３０が第２のガイドレール３００に設置され、第２の位置規制片３２が第２のガイドレール３００に位置する第２の位置規制孔３１０に挿入されて、両側の同時固定を実現する。
【００４２】
図７に示すように、本好ましい実施例において、第２の位置規制片３２の縁部が円弧状であるので、第２のプルグリップ４０を引き動かすと、第２の位置規制片３２は、その縁部で受けた力を水平方向に沿った力と垂直方向に沿った力とに分解し、この垂直方向に沿った力により第２のバネ片３０が弾性変形し、上向きに曲げる形態を呈することにより、さらに第２の位置規制片３２が第２の位置規制孔３１０内から自動的に離脱することができる。
【００４３】
なお、引き動かしやすくするために、第２の持ち手４２にも滑り止めリブが設置されて、引き抜く場合の摩擦力を増加させ、引き動かす場合に手の滑りの現象を避ける。
【００４４】
本好ましい実施例において、第２のバネ片３０及び第２のプルグリップ４０を追加することにより、挿抜可能なモジュール１００を引き動かすことが補助され、引き動かす過程全体がより安定する。
【００４５】
第６の好ましい実施例：
安全性の観点から考えると、一般的に、挿抜可能なモジュール１００は、さらに接地する必要がある。したがって、本好ましい実施例において、挿抜可能なモジュール１００は、さらに接地装置５０を含み、挿抜可能なモジュール１００は、さらに第４の側面１４０を有し、接地装置５０が少なくとも２つの接地バネ片５１と、接地バネ片５１に接続された接地板５２とを含み、各接地バネ片５１に１つの接地孔５１１が開設され、第４の側面１４０に接地孔に対応する取付孔１４１が開設され、接地孔５１１が取付孔１４１内に埋め込まれる。
【００４６】
接地バネ片５１の接地孔５１１は、略半球構造であり、挿抜可能なモジュール１００への十分な接触を確保することができ、また接地バネ片５１の数が少なくとも２つであるため、複数の態様から接地不良による安全問題を防止することができる。
【００４７】
第７の好ましい実施例：
好ましくは、第１の側面１１０は、台形であり、即ち挿抜可能なモジュール１００全体は、台形台構造であり（それに対応して、本体部のスロットの断面も台形である）。このようにして挿抜可能なモジュール１００をスロット内に正確に挿入することを確実にし、挿入方向が逆であることによる接触端子（第１の側面に対向する側面に固定される）の損傷と、それにより引き起こされる挿抜可能なモジュール１００と本体部との正常な電気的接続を実現できない状況を避けることができる。
【００４８】
本発明の実施例は、本体部及び挿抜可能なモジュール１００を含み、挿抜可能なモジュール１００がスマートタブレットの本体部のスロット内に挿入され得るか又は本体部のスロットから引き抜かれ得るものであって、挿抜可能なモジュール１００がスロット内に挿入されると、挿抜可能なモジュール１００が本体部と電気的に接続するスマートタブレットをさらに提供する。
【００４９】
本発明の実施例に係るスマートタブレットは、第１のバネ片１０が長尺状であり、その遠位端が第１の側面１１０に固定されるため、バネ片の役割を果たすことができる。また、第１のバネ片１０と第１のプルグリップ２０が相対的に近接して配置されるため、挿抜可能なモジュール１００を引き出す場合、第１の持ち手２２を把持すると同時に第１のバネ片１０のバネ片プルヘッド１２を操作できることにより、挿抜可能なモジュール１００を片手で引き出すことができ、操作のフローを簡略化し、ユーザの使用感を向上させる。
【００５０】
上記のものは単に本発明の具体的な実施形態に過ぎず、本発明の保護範囲を限定するためのものではなく、いずれの当業者にとっても、本発明の技術的範囲内において、容易に考えられる変更又は置換は、いずれも本発明の保護範囲内に含まれるべきである。したがって、本発明の保護範囲は特許請求の範囲の保護範囲を基準とするべきである。
【符号の説明】
【００５１】
１０  第１のバネ片
１１  第１の位置規制片
１２  バネ片プルヘッド
１４  係止部材
２０  第１のプルグリップ
５０  接地装置
５１  接地バネ片
５２  接地板
１００  モジュール
１１０  第１の側面
１１１  第１の位置規制部
１１２  第２の位置規制部
１２０  第２の側面
１２１  ロック孔
１２２  凹部
１４１  取付孔
２００  第１のガイドレール
２１０  第１の位置規制孔
２２１  リブ
３００  第２のガイドレール
３１０  第２の位置規制孔
【図１】
2019527405.tif 000003
【図２】
2019527405.tif 000004
【図３】
2019527405.tif 000005
【図４】
2019527405.tif 000006
【図５】
2019527405.tif 000007
【図６】
2019527405.tif 000008
【図７】
2019527405.tif 000009
【図８】
2019527405.tif 000010
【図９】
2019527405.tif 000011
【国際調査報告】
2019527405.tif 000012
2019527405.tif 000013
2019527405.tif 000014
2019527405.tif 000015